(57)【要約】      （修正有）【課題】表示端末を視認可能なユーザ向けにコンテンツを選択して提示可能にする情報管理サーバを提供する。【解決手段】コンテンツを表示する表示端末及び通信端末の位置情報を管理し、前記表示端末にコンテンツを送信する情報管理サーバであって、前記コンテンツを記憶するコンテンツ情報記憶手段と、前記位置情報に基づき、前記コンテンツが表示される画面を視認可能な範囲に前記通信端末が属する前記表示端末を選択する表示端末選択手段と、を有する。【選択図】図７
2014134929.tif 000002
【特許請求の範囲】
【請求項１】
コンテンツを表示する表示端末及び通信端末の位置情報を管理し、前記表示端末にコンテンツを送信する情報管理サーバであって、
前記コンテンツを記憶するコンテンツ情報記憶手段と、
前記位置情報に基づき、前記コンテンツが表示される画面を視認可能な範囲に前記通信端末が属する前記表示端末を選択する表示端末選択手段と、
を有する、情報管理サーバ。
【請求項２】
前記表示端末選択手段は、所定数以上の前記通信端末が含まれる領域を特定し、該領域の位置情報に基づき、前記表示端末を選択する、
請求項１に記載の情報管理サーバ。
【請求項３】
前記通信端末のユーザ属性を記憶するユーザ属性記憶手段と、
前記画面を視認可能な範囲に属する前記通信端末のユーザ属性に基づき、前記コンテンツ情報記憶手段に記憶されたコンテンツの中から送信するコンテンツを選択するコンテンツ選択手段と
をさらに有する、請求項１又は２に記載の情報管理サーバ。
【請求項４】
前記位置情報は、該位置情報を送信する通信機器ごとに定められる所定の領域を表し、
前記コンテンツ選択手段は、前記所定の領域に含まれる前記通信端末の数が一定数以上である場合に、該通信端末のユーザ属性に基づき、前記コンテンツを選択する、
請求項３に記載の情報管理サーバ。
【請求項５】
一定時間以上留まっていた前記通信端末が一定数以上である領域が前記所定の領域として特定される、
請求項４に記載の情報管理サーバ。
【請求項６】
前記視認可能な範囲は、前記表示端末の向き及び視野角によって定められる、
請求項１ないし５何れか一項に記載の情報管理サーバ。
【請求項７】
前記ユーザ属性の種類の中から、配信するコンテンツを選択するために用いるユーザ属性の種類の優先度を記憶する優先度記憶手段と、
前記コンテンツ選択手段は、前記優先度の高いユーザ属性の種類のうち、最も多いユーザ属性に基づき、送信するコンテンツを選択する、
請求項１乃至６いずれか一項に記載の情報管理サーバ。
【請求項８】
前記位置情報は、地上補完信号を用いて送信された位置情報である、
請求項１乃至７何れか一項に記載の情報管理サーバ。
【請求項９】
コンテンツを表示する表示端末と、前記表示端末及び通信端末の位置情報を管理し、前記表示端末にコンテンツを送信する情報管理サーバとを有する情報管理システムであって、
前記情報管理サーバは、
前記コンテンツを記憶するコンテンツ情報記憶手段と、
前記通信端末の位置情報に基づき、前記コンテンツが表示される画面を視認可能な範囲に前記通信端末が属する前記表示端末を選択する表示端末選択手段と、
を有し、
選択された前記表示端末が前記コンテンツを表示する、
情報管理システム。
【請求項１０】
コンテンツを表示する表示端末及び通信端末の位置情報を管理し、前記表示端末にコンテンツを送信する情報管理サーバに、
前記通信端末の位置情報に基づき、記憶手段に記憶された前記コンテンツが表示される画面を視認可能な範囲に前記通信端末が属する前記表示端末を選択する表示端末選択段階
を実行させる、情報管理プログラム。
【発明の詳細な説明】
【技術分野】
【０００１】
本発明は、情報管理サーバ、情報管理システム及び情報管理プログラムに関する。
【背景技術】
【０００２】
近年、ディスプレイやプロジェクタ等の表示端末に映像や情報を表示するデジタルサイネージ（電子看板）システムが普及している。デジタルサイネージは、多数の人目に付く場所（街頭、複数の店舗が集まった商業施設、駅等）に設置された表示端末に広告情報（映像や各種情報）を配信することによって広告媒体としても活用されている。
【０００３】
デジタルサイネージを広告媒体として活用する従来技術として、特許文献１がある。特許文献１には、デジタルサイネージ端末の近傍に存在する視聴者の所持する携帯端末から取得した識別情報に基づいて、視聴者のデモグラフィック情報の属性毎に最も頻度の高い属性値に基づいて提供する広告コンテンツを選択する技術が開示されている。
【０００４】
特許文献１に記載の技術によって、デジタルサイネージ端末の近傍に居る視聴者のうち多数派に対して適切な広告コンテンツを提供することができるため、デジタルサイネージ端末による広告を効果的に行なうことができる。
【発明の概要】
【発明が解決しようとする課題】
【０００５】
しかしながら、従来の技術では、広告コンテンツの選択を行う際に、デジタルサイネージ端末の向きを考慮していない。そのため、デジタルサイネージ端末は、近傍にいるものの、表示画面を視認することができない人向けに、適切なコンテンツを提示してしまう可能性がある。その結果、実際に、デジタルサイネージ端末を視認できる人に対して、見当違いの広告コンテンツを提示してしまうという課題がある。
【０００６】
本発明は、上記のような問題に鑑みてなされたものであり、表示端末を視認可能なユーザ向けにコンテンツを選択して提示可能にすることを目的とする。
【課題を解決するための手段】
【０００７】
そこで上記課題を解決するため、本発明の一実施形態における情報管理サーバは、
コンテンツを表示する表示端末及び通信端末の位置情報を管理し、前記表示端末にコンテンツを送信する情報管理サーバであって、
前記コンテンツを記憶するコンテンツ情報記憶手段と、
前記位置情報に基づき、前記コンテンツが表示される画面を視認可能な範囲に前記通信端末が属する前記表示端末を選択する表示端末選択手段と、
を有する。
【０００８】
また、本発明の一実施形態における情報管理システムは、
コンテンツを表示する表示端末と、前記表示端末及び通信端末の位置情報を管理し、前記表示端末にコンテンツを送信する情報管理サーバとを有する情報管理システムであって、
前記情報管理サーバは、
前記コンテンツを記憶するコンテンツ情報記憶手段と、
前記通信端末の位置情報に基づき、前記コンテンツが表示される画面を視認可能な範囲に前記通信端末が属する前記表示端末を選択する表示端末選択手段と、
を有し、
選択された前記表示端末が前記コンテンツを表示する。
【０００９】
また、本発明の一実施形態における情報管理プログラムは、
コンテンツを表示する表示端末及び通信端末の位置情報を管理し、前記表示端末にコンテンツを送信する情報管理サーバに、
前記通信端末の位置情報に基づき、記憶手段に記憶された前記コンテンツが表示される画面を視認可能な範囲に前記通信端末が属する前記表示端末を選択する表示端末選択段階
を実行させる。
【発明の効果】
【００１０】
本発明によれば、表示端末を視認可能なユーザ向けにコンテンツを選択して提示することができる。
【図面の簡単な説明】
【００１１】
【図１】本発明の実施の形態におけるコンテンツ管理システムの構成の一例を示す図である。
【図２】本発明の実施の形態における表示端末のハードウェア構成の一例を示す図である。
【図３】本発明の実施の形態における通信端末のハードウェア構成の一例を示す図である。
【図４】本発明の実施の形態における位置情報通信機器のハードウェア構成図の一例を示す図である。
【図５】本発明の実施の形態におけるゲートウェイ装置のハードウェア構成の一例を示す図である。
【図６】本発明の実施の形態における情報管理サーバのハードウェア構成の一例を示す図である。
【図７】本発明の実施の形態におけるコンテンツ管理システムの機能構成の一例を示す図である。
【図８】本発明の実施の形態における信号フォーマットの一例を示す図である。
【図９】本発明の実施の形態における表示端末、通信装置及び位置情報通信機器の位置関係の例を示す図である。
【図１０】本発明の実施の形態における位置情報通信機器の位置情報格納手段に記憶される情報の一例を示す図である。
【図１１】本発明の実施の形態における位置情報記憶手段に記憶される情報の一例を示す図である。
【図１２】本発明の実施の形態における属性情報記憶手段に記憶される情報の一例を示す図である。
【図１３】本発明の実施の形態におけるコンテンツ情報記憶手段に記憶される情報の一例を示す図である。
【図１４】本発明の実施の形態における優先度記憶手段に記憶される情報の一例を示す図である。
【図１５】本発明の実施の形態におけるユーザ履歴記憶手段に記憶される情報の一例を示す図である。
【図１６】本発明の実施の形態におけるコンテンツ管理システムの動作の一例を示すシーケンス図である。
【図１７】本発明の実施の形態における情報管理サーバでのコンテンツの提示対象の決定とコンテンツ選択の処理手順の一例を示したフローチャート図である。
【図１８】本発明の実施の形態におけるコンテンツ管理システムの動作の一例を示すシーケンス図である。
【図１９】本発明の実施の形態における情報管理サーバでのコンテンツの提示対象の決定とコンテンツ選択の処理手順の一例を示したフローチャート図である。
【発明を実施するための形態】
【００１２】
以下、本発明の実施の形態について、図面を用いて説明する。
【００１３】
[システム構成]
図１は、本発明の実施の形態におけるコンテンツ管理システム１（情報管理システム）の構成例を示す図である。コンテンツ管理システム１は、表示端末１０、情報管理サーバ２０、通信端末３０ａ、３０ｂ、３０ｃ・・・３０ｎ（それぞれを区別しない場合は「通信端末３０」という。）と、位置情報通信機器４０ａ、４０ｂ、４０ｃ・・・４０ｎ（それぞれを区別しない場合は「位置情報通信機器４０」という。）と、ゲートウェイ装置５０とを有する。表示端末１０と通信端末３０と位置情報通信機器４０とゲートウェイ装置５０とは、例えばＺｉｇＢｅｅ（登録商標）によるＰＡＮ（Personal  Area  Network）等を介して、通信可能に接続されている。ゲートウェイ装置５０と情報管理サーバ２０とは、ＬＡＮ（Local Area Network）又はインターネット等のネットワーク９８を介して、通信可能に接続されている。情報管理サーバ２０と表示端末１０及び通信端末３０とは、アクセスポイント９０を介して、ＩＥＥＥ８０２．１１の通信規格に基づく無線ＬＡＮ等のネットワーク９９を介して通信可能に接続されている。なお、無線ネットワーク９７、９８、９９の通信方式は上記に限定されない。また、ＬＡＮは、有線又は無線の別を問うものではなく、各装置間の通信が可能であれば、例えば移動通信網や近距離無線通信規格のＩＥＥＥ８０２．１５．１（Bluetooth（登録商標））であってもよい。
【００１４】
コンテンツ管理システム１とは、通信端末３０の位置情報を利用して、表示端末１０から所定の範囲に位置する通信端末３０のユーザの属性情報（以下、「ユーザ属性情報」という。）に適合したコンテンツ（広告）を、表示端末１０に表示させるシステムである。ここで、図１に示されるように、コンテンツ管理システム１は、表示端末１０の設置された向きθｄと視野角θｖの情報を用いて、表示端末１０を視認可能なユーザに対して、コンテンツを提示することができる。コンテンツ管理システム１は、情報表示機能、位置情報送受信機能、位置情報管理機能及びコンテンツ管理機能等を有する。本発明の実施の形態におけるユーザ属性情報の種類とは、例えばユーザの性別、生年月日、出身地、家族構成、職業、趣味等のカテゴリーである。また、本発明の実施の形態におけるユーザ属性情報とは、例えば、ユーザ属性情報の種類が性別である場合の「男性」、「女性」といったユーザ属性情報の値である。
【００１５】
表示端末１０は、本発明の実施形態において例えばデジタルサイネージ（電子看板）に用いられる液晶や有機ＥＬ等のようなディスプレイである。表示端末１０は、文字・動画・静止画等のコンテンツを表示し、ネットワーク９９を介してコンテンツを受信する通信機能を備える。また、表示端末１０は、例えば位置情報通信機器４０から送信される、ＩＭＥＳ規格に準ずる測位信号を受信して、位置情報を取得する。そして表示端末１０は、取得した位置情報を、例えばＩＥＥＥ８０２．１５．４及びＺｉｇＢｅｅ（登録商標）のような近距離無線通信を用いて情報管理サーバ２０に送信する。なお、表示端末１０は、例えばプロジェクタとスクリーン（又は壁面等）との組合せであってもよい。また、表示端末１０は、能動的に電波を送信する、例えばアクティブタグの特徴を有してもよい。
【００１６】
通信端末３０は、情報の表示・入力機能、ネットワーク９９を介してデータ通信する通信機能等を有するスマートフォン、ＰＤＡ（Personal Digital Assistant）、ＰＣ（Personal Computer）、タブレット端末等である。また、通信端末３０は、位置情報通信機器４０から送信された測位信号を受信して、位置情報を取得し、受信した位置情報を情報管理サーバ２０に送信する。なお、位置情報の送受信に用いる通信方式は、例えば上述した表示端末１０で用いる方式である。なお通信端末３０は、能動的に電波を送信する、例えばアクティブタグの特徴を有してもよい。
【００１７】
位置情報通信機器４０は、例えば部屋の天井等に固定され、固定された位置に係る位置情報を連続的又は断続的に送信する。位置情報通信機器４０は、それぞれ独立した筐体を有し、予め設置された電源から給電されて動作するか、あるいはＬＥＤ蛍光管のような照明器具に組み込まれ、この照明器具から給電されて動作する。位置情報通信機器４０は、自機が保持する位置情報を、無線信号により所定の範囲に送信する。所定の範囲は、用いられる無線信号の信号強度及び送信アンテナの指向性等によって定められる。位置情報通信機器４０は、位置の管理対象となる領域をカバーするように配置され、各領域が重複しないように構成される。あるいは、重複する場合であっても、位置情報を受信する側において、受信電波の強度に基づいて、何れか一つの位置情報通信機器４０が決定できるよう構成される。図１の例では、位置情報通信機器４０の下方に示される円錐型の点線が、所定の範囲を表している。以下の説明では、簡単のために、一の位置情報通信機器によって、一の領域が構成されるものとして、説明する。位置情報を送信する通信方式は、例えば、地上補完信号ＩＭＥＳ（Indoor Messaging System）である。また、位置情報通信機器４０は、通信端末３０又はゲートウェイ装置５０に対して、位置情報以外のデータを送受信してもよい。
【００１８】
なお、表示端末１０及び通信端末３０が、位置情報通信機器４０からの位置情報を受信した場合の動作は次のようになる。通信端末３０が位置情報を受信すると、受信した位置情報と共に、例えばデバイスＩＤやＭＡＣアドレスのような、装置固有の識別情報を含む情報を位置情報通信機器４０へ送信する。例えば、表示端末１０及び通信端末３０の識別情報として、ＩＥＥＥ８０２．１５．４の短縮アドレスまたはＩＥＥＥ拡張（ＭＡＣ）アドレスを用いてもよい。位置情報通信機器４０へ送信された識別情報と位置情報は、次に、隣接する位置情報通信機器４０を経由して、ゲートウェイ装置５０に送信される。なお、表示端末１０及び通信端末３０における位置情報の送受信は、表示端末１０及び通信端末３０において予め定められたタイミングで実行される。あるいは、端末が加速度センサを備えている場合は、加速度の変化が検出されたタイミングで実行されてもよい。
【００１９】
ゲートウェイ装置５０は、無線ネットワーク９７とネットワーク９８とを相互に接続し、一方のネットワークから送信されたデータを他方のネットワークにブリッジする。ゲートウェイ装置５０は、例えば建物のフロア毎、または壁などで仕切られた部屋毎に設置される。無線ネットワーク９７がＺｉｇＢｅｅ（登録商標）によるＰＡＮ（Personal Area Network）であり、ネットワーク９８がＩＥＥＥ８０２．３規格に基づくＬＡＮである場合には、それらの間での通信方式の変換を行う。また、通信端末３０の識別情報がＩＥＥＥ８０２．１５．４の短縮アドレスで表されている場合には、ＰＡＮ構成時の情報に基づき、短縮アドレスをＩＥＥＥ拡張アドレスに変換する。
【００２０】
情報管理サーバ２０は、表示端末１０及び通信端末３０の位置情報を管理する情報管理機能や表示端末１０に表示するコンテンツを表示端末１０に送信機能を有する。情報管理サーバ２０は、表示端末１０にネットワーク９９を介してコンテンツを送信する。情報管理サーバ２０は、以下のようなデータベースを有し、これらのデータベースに含まれる情報に基づいて、表示端末１０に送信するコンテンツを選択する。
−表示端末１０及び通信端末３０の位置情報を管理する位置情報管理データベース（各表示端末１０の向き及び視野角の情報を含む）
−各領域に属していた通信端末３０（ユーザ）の履歴を管理するユーザ履歴管理データベース
−通信端末３０のユーザ属性情報を管理するユーザ属性情報管理データベース
−コンテンツとユーザ属性情報とが対応付けられたコンテンツ情報管理データベース
−送信するコンテンツを選択する際に優先する属性情報の種類を管理する優先属性情報管理データベース
【００２１】
なお、無線ネットワーク９７が、ＺｉｇＢｅｅ（登録商標）によるＰＡＮである場合は、表示端末１０（通信端末３０）、位置情報通信機器４０、ゲートウェイ装置５０は、夫々エンドデバイス、ルータ、コーディネータの機能を有する。表示端末１０、通信端末３０及び位置情報通信機器４０は、起動時にゲートウェイ装置５０の管理下に入り、ＰＡＮを構成し、ゲートウェイ装置５０への経路が決定される。
【００２２】
上記の通り、本発明の実施の形態におけるコンテンツ管理システム１において、表示端末１０を視認できる位置にある通信端末３０のユーザに対して、適切なコンテンツを提示することができる。また、本システムにおける表示端末１０及び通信端末３０は、最寄りの位置情報通信機器４０と通信できるだけの電力を用いて、データを情報管理サーバ２０に送信することができる。
【００２３】
なお、位置情報通信機器４０の位置情報は、ＩＥＥＥ８０２．１１規格の無線ＬＡＮネットワークを介して提供されてもよい。これにより、例えばＩＭＥＳを用いた位置情報等を送信するための送信手段が不要となる。
【００２４】
また、通信端末３０は、位置情報を送信した位置情報通信機器４０よりさらに近傍にゲートウェイ装置５０が存在する場合には、位置情報等のデータをゲートウェイ装置５０に送信してもよい。これにより、最短経路で識別情報と位置情報が情報管理サーバ２０に送信できる。
【００２５】
また、情報管理サーバ２０に、ゲートウェイ装置５０の機能を統合してもよい。これにより、ゲートウェイ装置５０の設置が不要となる。
【００２６】
また、上述の位置情報に加えて、例えば部屋の中の区画を表す情報のような、より細かな位置を特定する情報を含んでもよい。これにより、より細かな位置管理が可能となる。
【００２７】
また、無線ネットワーク９７は、例えばＢｌｕｅｔｏｏｔｈ  ＬＥ、ＡＮＴ、Ｚ−Ｗａｖｅ等の近距離無線通信を用いて構成されてもよい。これにより、多様な表示端末１０及び通信端末３０の位置情報を管理することが可能となる。
【００２８】
また、ネットワーク９８は、例えばインターネットのような、複数の種類のネットワークを含んでもよい。これにより、無線ネットワーク９７と情報管理サーバ２０との間の物理的な位置に関係なく、表示端末１０及び通信端末３０の位置情報を管理することが可能となる。
【００２９】
［システム動作概要］
本発明の実施の形態においてコンテンツ管理システム１の動作概要を説明する。
【００３０】
通信端末３０のユーザは、表示端末１０に表示されているコンテンツ（広告）を視聴する視聴者である。
【００３１】
（１）表示端末１０及び通信端末３０は、位置情報通信機器４０から定期的（例えば１分周期）に送信される位置情報を受信し、情報管理サーバ２０に受信した位置情報と、各端末を一意に識別する識別情報とを無線ネットワーク９７を介して送信する。情報管理サーバ２０は、表示端末１０及び通信端末３０の識別情報と位置情報とを対応付けて記憶する。
【００３２】
（２）通信端末３０のユーザは、ユーザ属性情報を通信端末３０において入力し、入力した属性情報と通信端末３０の識別情報とをネットワーク９９を介して情報管理サーバ２０に送信する。情報管理サーバ２０は、識別情報とユーザ属性情報とを対応付け記憶する。なお、情報管理サーバ２０がユーザ属性情報を取得する契機は任意であり、表示端末１０に送信されるコンテンツが選択される前であればよい。なお、属性情報が登録されていないユーザが存在する場合は、登録済の属性情報を利用する。
【００３３】
なお、（１）と（２）との順序は問わない。
【００３４】
（３）情報管理サーバ２０は、通信端末３０の位置情報を格納する位置情報管理データベースを用いて、一定数以上の通信端末３０が属する領域（すなわち、位置情報通信機器４０）を特定する。このとき、当該領域に属する（すなわち、位置情報通信機器４０に設定された位置情報と同じ位置情報を有する）通信端末３０の識別情報も特定される。次に、位置情報管理データベースを用いて、その領域の近傍にある、所定数の表示端末１０を特定する。そして、位置情報管理データベースに格納された、表示端末１０の向き及び視野角の情報から、選択された表示端末１０のうち、上記通信端末３０のユーザが視認可能であって、かつ、最寄りの、表示端末１０を特定する。
【００３５】
（４）情報管理サーバ２０の優先属性情報データベースには、予め、送信するコンテンツを選択する際に用いる、ユーザ属性情報の種類の優先度が記憶されている。例えば、属性の種類として性別が最も高い優先度として設定されている場合は、性別に基づいて送信するコンテンツが選択される。この優先度に関する情報と、（３）において特定された通信端末３０の識別情報とに基づき、最も多いユーザ属性に対応したコンテンツが選択される。
【００３６】
（５）情報管理サーバ２０は、選択されたコンテンツを、ネットワーク９９を介して、（３）で特定された表示端末１０に送信する。表示端末１０は受信したコンテンツをディスプレイに表示する。
【００３７】
（６）一定の時間（例えば３分）の経過後、上記（３）〜（５）の動作が繰り返され、表示端末１０に表示されるコンテンツが更新される。
【００３８】
以上（１）〜（６）の動作により、コンテンツ管理システム１は、表示端末１０を視聴可能な視聴者に対して、視聴者（通信端末３０のユーザ）に最も効果的なコンテンツ（広告）を選択し、配信することを可能とする。
【００３９】
[ハードウェア構成]
次に、図２−図６を用いて、表示端末１０、通信端末３０、位置情報通信機器４０、ゲートウェイ装置５０及び情報管理サーバ２０のハードウェア構成の一例を説明する。
【００４０】
＜表示端末＞
図２は、本発明の実施の形態における表示端末１０のハードウェア構成の一例を示す図である。表示端末１０は、ＣＰＵ１２１、ＲＡＭ１２２、ＲＯＭ１２３、ＨＤＤ１２４、第一通信部１２５、測位信号受信部１２６、第二通信部１２７、表示部１２８及びバス１２９等を有する。
【００４１】
ＣＰＵ１２１は、表示端末１０の動作制御を行うプログラムを実行する。ＲＡＭ１２２は、ＣＰＵ１２１のワークエリア等を構成する。ＲＯＭ１２３は、ＣＰＵ１２１が実行するプログラムや、プログラムの実行に必要なデータを記憶する。ＨＤＤ１２４は、例えば、半導体メモリ、磁気テープ、光学ディスク等の記憶装置であって、表示端末１０において表示するコンテンツが記憶される。第一通信部１２５は、外部の装置と通信するための装置であり、例えば、ＺｉｇＢｅｅ（登録商標）のような、近距離無線通信方式に従って通信を行う装置である。測位信号受信部１２６は、位置情報通信機器４０が送信する測位信号を受信するための装置であり、例えば、ＩＭＥＳ規格により定義されたフレームフォーマットの測位信号を受信する。第二通信部１２７は、外部の装置と通信するための装置であり、例えば、無線ＬＡＮや携帯電話通信網を通じて通信を行う装置である。表示部１２８は、例えば液晶や有機ＥＬの画面を有し、コンテンツを表示する装置である。バス１２９は、上記装置を電気的に接続する。
【００４２】
上記構成により、本発明の実施の形態における表示端末１０は、位置情報通信機器４０から送信された測位信号から位置情報を取得し、この位置情報を、第一通信部１２５を用いて情報管理サーバ２０に送信することができる。そして、表示端末１０は、第二通信部１２７を用いて、情報管理サーバ２０から送信されるコンテンツを受信することができる。
【００４３】
なお、位置情報の送受信を行う第一通信部１２５及び測位信号受信部１２６は、表示端末１０の筐体外に備わっていてもよい。
【００４４】
また、表示端末１０が例えば可搬性が低く、場所に固定的に設置されており、予め表示端末１０の位置が情報管理サーバ２０に記憶されている場合は、第一通信部１２５及び測位信号受信部１２６は必要としない。
【００４５】
＜通信端末＞
図３は、本発明の実施の形態における通信端末３０のハードウェア構成の一例を示す図である。通信端末３０は、ＣＰＵ３２１、ＲＡＭ３２２、ＲＯＭ３２３、第一通信部３２４、測位信号受信部３２５、第二通信部３２６、表示部３２７、入力部３２８及びバス３２９等を有する。
【００４６】
ＣＰＵ３２１は、通信端末３０の動作制御を行うプログラムを実行する。ＲＡＭ３２２は、ＣＰＵ３２１のワークエリア等を構成する。ＲＯＭ３２３は、ＣＰＵ３２１が実行するプログラムや、プログラムの実行に必要なデータを記憶する。第一通信部３２４は、外部の装置と通信するための装置であり、例えば、ＺｉｇＢｅｅ（登録商標）のような、近距離無線通信方式に従って通信を行う装置である。測位信号受信部３２５は、位置情報通信機器４０が送信する測位信号を受信するための装置であり、例えば、ＩＭＥＳ規格により定義されたフレームフォーマットの測位信号を受信する。第二通信部３２６は、外部の装置と通信するための装置であり、例えば、無線ＬＡＮや携帯電話通信網を通じて通信を行う装置である。表示部３２７は、例えば液晶ディスプレイのように、通信端末３０の操作画面や処理結果を、ユーザに対して表示する装置である。入力部３２８は、例えばキーボード、マウス、タッチパネル等のように、ユーザからの入力を受け付ける装置である。バス３２９は、上記装置を電気的に接続する。
【００４７】
上記構成により、本発明の実施の形態における通信端末３０は、位置情報通信機器４０から送信された測位信号から位置情報を取得し、この位置情報を、第一通信部３２４を用いて情報管理サーバ２０に送信することができる。そして、通信端末３０は、第二通信部３２６を用いて、通信端末３０のユーザ属性情報を、情報管理サーバ２０に送信することができる。
【００４８】
なお、位置情報の送受信を行う第一通信部３２４及び測位信号受信部３２５は、通信端末３０の筐体の外に備わっていてもよい。
【００４９】
＜位置情報通信機器＞
図４は、本発明の実施の形態における位置情報通信機器４０のハードウェア構成の一例を示す図である。位置情報通信機器４０は、ＣＰＵ４２１、ＲＡＭ４２２、ＲＯＭ４２３、通信部４２４、測位信号送信部４２５及びバス４２６等を有する。
【００５０】
ＣＰＵ４２１は、位置情報通信機器４０の動作制御を行うプログラムを実行する。ＲＡＭ４２２は、ＣＰＵ４２１のワークエリア等を構成する。ＲＯＭ４２３は、ＣＰＵ４２１が実行するプログラムや、プログラムの実行に必要なデータを記憶する。通信部４２４は、外部の装置と通信するための装置であり、例えば、ＺｉｇＢｅｅ（登録商標）のような近距離無線通信方式に従って無線通信可能な装置である。測位信号送信部４２５は、表示端末１０及び通信端末３０が現在位置を取得するために用いる測位信号を送信する装置であり、例えば、ＩＭＥＳ規格により定義されたフレームフォーマットで測位信号を送信する。具体的には、測位信号送信部５０８は、ＩＭＥＳ規格によって定義されるフレーム構造を有するデータを用いて、１．５７５４ＧＨｚの搬送波を変調して信号を生成し、これをアンテナより送出する。バス４２６は、上記装置を電気的に接続する。
【００５１】
上記構成により、本発明の実施の形態における位置情報通信機器４０は、表示端末１０及び通信端末３０が測位を行うために必要な、測位信号を送信することができる。また、表示端末１０及び通信端末３０と、情報管理サーバ２０との間の通信を中継することができる。
【００５２】
＜ゲートウェイ装置＞
図５は、本発明の一実施形態におけるゲートウェイ装置５０のハードウェア構成を表す。ゲートウェイ装置５０は、ＣＰＵ５２１、ＲＡＭ５２２、ＲＯＭ５２３、第一通信部５２４、第二通信部５２５及びバス５２６を有する。
【００５３】
ＣＰＵ５２１は、ゲートウェイ装置５０の動作制御を行うプログラムを実行する。ＲＡＭ５２２は、ＣＰＵ５２１のワークエリア等を構成する。ＲＯＭ５２３は、ＣＰＵ５２１が実行するプログラムや、プログラムの実行に必要なデータを記憶する。第一通信部５２４は、外部の装置と通信するための装置であり、例えば、ＺｉｇＢｅｅ（登録商標）のような近距離無線通信方式に従って無線通信可能な装置である。第二通信部５２５は、外部の装置と通信するための装置であり、例えば、ＩＥＥＥ８０２．３規格に基づくＬＡＮと接続するためのインタフェースを含む装置である。バス５２６は、上記装置を電気的に接続する。
【００５４】
上記構成により、本発明の実施の形態におけるゲートウェイ装置５０は、近距離無線通信ネットワークである無線ネットワーク９７を構成することができる。また、ゲートウェイ装置５０は、無線ネットワーク９７と、ネットワーク９８とを、相互に接続することができる。
【００５５】
＜情報管理サーバ＞
図６は、本発明の実施の形態における情報管理サーバ２０のハードウェア構成の一例を示した図である。情報管理サーバ２０は、ＣＰＵ２２１、ＲＡＭ２２２、ＲＯＭ２２３、ＨＤＤ２２４、第一通信部２２５、第二通信部２２６、表示部２２７、入力部２２８及びバス２２９等を有する。
【００５６】
ＣＰＵ２２１は、情報管理サーバ２０の動作制御を行うプログラムを実行する。ＲＡＭ２２２は、ＣＰＵ２２１のワークエリア等を構成する。ＲＯＭ２２３は、ＣＰＵ２２１が実行するプログラムや、プログラムの実行に必要なデータを記憶する。ＨＤＤ２２４は、例えば、半導体メモリ、磁気テープ、光学ディスク等の記憶装置であって、表示端末１０に送信するコンテンツ等が記憶される。第一通信部２２５は、例えばＩＥＥＥ８０２．３規格のイーサネット（登録商標）により通信を行う装置であり、ネットワーク９８を介してゲートウェイ装置５０と通信するためのインタフェースである。第二通信部２２６は、外部の装置と通信するための装置であり、例えば、無線ＬＡＮや携帯電話通信網を通じて通信を行う装置である。第二通信部２２６は、ネットワーク９８を介して表示端末１０にコンテンツを送信し、通信端末３０から送信されるデータを受信するインタフェースである。表示部２２７は、例えば液晶や有機ＥＬのディスプレイであって、コンテンツが表示される装置である。入力部２２８は、例えばキーボードや、マウスのように、ユーザからの入力を受け付ける装置である。バス２２９は、上記装置を電気的に接続する。
【００５７】
上記構成により、本発明の実施の形態における情報管理サーバ２０は、表示端末１０及び通信端末３０の位置情報を管理し、表示端末１０に表示させるコンテンツを送信することができる。
【００５８】
[機能構成]
図７は、本発明の実施の形態におけるコンテンツ管理システム１の機能構成の一例を示す図である。表示端末１０、情報管理サーバ２０、通信端末３０、位置情報通信機器４０及びゲートウェイ装置５０における各機能は、それぞれＣＰＵ１２１、ＣＰＵ２２１、ＣＰＵ３２１、ＣＰＵ４２１、ＣＰＵ５２１がプログラムを実行することで実現される。
【００５９】
＜表示端末＞
本発明の実施の形態において表示端末１０は、位置情報通信Ｉ／Ｆ手段１０１、位置情報受付・更新手段１０２、記憶手段１０３、通信Ｉ／Ｆ手段１０４、コンテンツ受信手段１０５及びコンテンツ表示手段１０６等を有する。
【００６０】
位置情報通信Ｉ／Ｆ手段１０１は、近距離無線通信用の無線ネットワーク９７を介して位置情報通信機器４０から送信された位置情報を受信し、受信した位置情報及び表示端末１０の識別情報を位置情報通信機器４０に送信する。
【００６１】
図８は、表示端末１０から情報管理サーバ２０に送信される位置情報を含む信号のフォーマットの一例である。図８に示されるように、階数、緯度、経度、棟番号、識別情報の各フィールドが、それぞれ９ビット、２１ビット、２１ビット、８ビット、４８ビットで表現され、ＩＭＥＳ規格によって受信したメッセージの該当フィールドを繋げた形とする。各フィールドの表現形式はIMES規格に準ずる。識別情報は例えばＭＡＣアドレスである。なお、識別情報は、ＭＡＣアドレスに限定されるものではなく、デバイスＩＤ等であってもよい。通信方式として、例えばＩＥＥＥ８０２．１５．４及びＺｉｇＢｅｅ（登録商標）規格が用いられる。
【００６２】
位置情報受付・更新手段１０２は、位置情報通信Ｉ／Ｆ手段１０１を介して位置情報通知信号を受け付けると、記憶手段１０３に受信した位置情報を記憶する。次いで、情報管理サーバ２０に受信した位置情報と識別情報とを含む位置情報更新要求を、位置情報通信機器４０を介して情報管理サーバ２０に送信する。なお、位置情報受付・更新手段１０２が位置情報を信号情報管理サーバ２０に送信する契機は任意である。送信契機は、例えば、位置情報通信機器４０からの位置情報通知の受信時、表示端末１０の電源の投入時、一定周期毎等である。
【００６３】
記憶手段１０３は、図２のＲＡＭ１２２、ＲＯＭ１２３及びＨＤＤ１２４等が用いられ、表示端末１０の識別情報、受信した位置情報通知に含まれる位置情報、及び表示するコンテンツのファイル等が記憶される。
【００６４】
通信Ｉ／Ｆ手段１０４は、ＩＥＥＥ８０２．１１規格に基づき、第二通信部１２７を制御し、ネットワーク９９を介してデータの送受信を行う。本発明の実施形態では、通信Ｉ／Ｆ手段１０４は、情報管理サーバ２０からコンテンツを受信するインタフェースとして機能する。なお、通信Ｉ／Ｆ手段１０４が用いる通信規格は、ＩＥＥＥ８０２．１１規格に限らず、例えばＩＥＥＥ８０２．３規格に基づくイーサネットによりデータ通信を行ってもよい。
【００６５】
コンテンツ受信手段１０５は、情報管理サーバ２０から送信されるコンテンツを通信Ｉ／Ｆ手段１０４を介して受信し、受信したコンテンツを記憶手段１０３に記憶するとともに、コンテンツが記憶されたアドレスをコンテンツ表示手段１０６に通知する。
【００６６】
コンテンツ表示手段１０６は、コンテンツ表示手段１０５から通知されたコンテンツが記憶されているアドレスに基づき、コンテンツを表示部１２８に表示する。
【００６７】
＜通信端末＞
本発明の実施の形態において通信端末３０は、位置情報通信Ｉ／Ｆ手段３０１、位置情報受付・更新手段３０２、記憶手段３０３、表示手段３０４、入力手段３０５、属性情報通知手段３０６、通信Ｉ／Ｆ手段３０７等を有する。
【００６８】
位置情報通信Ｉ／Ｆ手段３０１は、近距離無線通信用の無線ネットワーク９７を介して位置情報通信機器４０から送信された位置情報を受信し、受信した位置情報及び表示端末１０の識別情報を位置情報通信機器４０に送信する。
【００６９】
通信端末３０から情報管理サーバ２０に送信する位置情報を含む信号のフォーマットは、上述した表示端末１０の場合と同様に、図８に示される形式である。
【００７０】
位置情報受付・更新手段３０２は、位置情報通信Ｉ／Ｆ手段３０１により受信された位置情報通知信号を受け付けると、記憶手段３０３に受信した位置情報を記憶し、受信した位置情報と識別情報とを、位置情報通信機器４０を介して情報管理サーバ２０に送信する。なお、位置情報受付・更新手段３０２が位置情報を信号情報管理サーバ２０に送信する契機は任意である。送信契機は、例えば、位置情報通信機器４０からの位置情報通知の受信時、通信端末３０の電源の投入時、一定周期毎、又は通信端末３０が加速度センサ等を備えている場合はセンサによる移動の検出時等である。
【００７１】
記憶手段３０３は、図３のＲＡＭ３２２、ＲＯＭ３２３等が用いられ、通信端末３０の識別情報、受信した位置情報通知に含まれる位置情報、及び表示するコンテンツのファイル等が記憶される。
【００７２】
表示手段３０４は、図３の表示部３２７であるユーザインタフェース画面に、ユーザに対する情報を表示出力する。
【００７３】
入力手段３０５は、図３の入力部３２８であるキーボードやマウス、タッチパネルの画面操作等によりユーザからの入力指示を受け付ける。
【００７４】
属性情報通知手段３０６は、入力手段３０５により入力された通信端末３０のユーザ属性情報が含まれた属性情報通知信号を生成し、この属性情報通知信号を通信Ｉ／Ｆ手段３０７を介して情報管理サーバ２０に送信する。なお、属性情報通知信号には、通信端末３０の識別情報が含まれる。ここで識別情報は例えばＭＡＣアドレスである。なお識別情報は、通信端末３０を識別可能であれば例えばデバイスＩＤであってもよいが、位置情報更新要求に含まれる識別情報と同一である必要がある。なお、ユーザ属性情報の情報管理サーバ２０への送信ルートは、位置情報通信機器４０を介する無線ネットワーク９７のルートであってもよい。
【００７５】
図９は、通信端末３０のユーザによって入力されるユーザ属性情報を入力する画面（以下、「ユーザ属性入力画面」という。）の一例である。ユーザ属性入力画面は、例えばＨＴＭＬ（Hyper Text Markup Language）により記述される一般的なｗｅｂサイトである。本発明の実施形態では、ユーザ属性情報の種類は、図９に示されるように、例えば氏名、生年月日、性別、出身地、居住地、家族構成、職業及び趣味等である。通信端末３０のユーザが属性情報を入力し、送信ボタンのソフトキーを押下すると、情報管理サーバ２０のＵＲＬに属性情報が送信される。なお、ユーザ属性入力画面を記述する言語は、例えばＤＨＴＭＬ（Dynamic HTML）、ＸＭＬ（Extensible Markup Language）等であってもよい。また、ユーザ属性情報の入力は、ｗｅｂサイトの形式に限らず、例えばユーザ属性情報の入力用アプリケーションを用いてもよい。
【００７６】
通信Ｉ／Ｆ手段３０７は、ＩＥＥＥ８０２．１１規格に基づき、第二通信部３２６を制御し、ネットワーク９９を介してデータの送受信を行う。本発明の実施形態では、通信Ｉ／Ｆ手段１０４は、属性情報通知手段３０６により生成された属性情報通知信号を情報管理サーバ２０に送信するインタフェースとして機能する。なお、通信Ｉ／Ｆ手段３０７が用いる通信規格は、ＩＥＥＥ８０２．１１規格に限らず、例えばＩＥＥＥ８０２．３規格に基づくイーサネットによりデータ通信を行ってもよい。
【００７７】
＜位置情報通信機器＞
本発明の実施の形態において位置情報通信機器４０は、位置情報格納手段４０１、位置情報通知手段４０２及び位置情報通信Ｉ／Ｆ手段４０３等を有する。
【００７８】
位置情報格納手段４０１は、表示端末１０及び通信端末３０が設置される位置を表す位置情報を格納する。位置情報には、例えば、緯度、経度、フロア（階数）、建物の棟番号を表す情報が含まれる。
【００７９】
図１０は、本発明の実施の形態における位置情報通信機器４０の位置情報格納手段４０１が記憶する情報の一例を示す図である。図１０に示されるように、位置情報格納手段４０１には、緯度、経度、階数、棟番号等の項目が含まれる。緯度及び経度は、位置情報通信機器４０の所在する位置の緯度及び経度を表す。階数は、位置情報通信機器４０が設置される建物の階数を表す。棟番号は、位置情報通信機器４０が設置される建物の棟番号を表す。図１０の例において、位置情報通信機器４０は、Ｃ棟の１６階であって、緯度が３５．４５９５５５、経度が１３９．３８７１１０の地点に所在する。この位置情報は、予め、コンテンツ管理システム１の管理者等によって設定される。なお、位置情報には部屋の中の区画を表す情報のような追加の情報を含んでもよい。これにより、より詳細な位置管理が可能となる。
【００８０】
位置情報通知手段４０２は、位置情報格納手段４０１に格納された位置情報に基づき位置情報通知信号を生成し、表示通信端末３０に送信する。位置情報通知信号は、例えば、ＩＭＥＳ規格によって定義されるフレーム構造によって構成される。また、位置情報通知の送信契機は任意であるが、一定周期（例えば、１分間隔）で送信する。
【００８１】
位置情報通信Ｉ／Ｆ手段４０３は、位置情報通知信号を表示端末１０及び通信端末３０に送信し、また表示端末１０及び通信端末３０から送信された位置情報及び識別情報が含まれたデータをゲートウェイ装置５０に転送する。無線ネットワーク９７にＺｉｇＢｅｅ（登録商標）規格が用いられる場合、データ転送は位置情報通信機器４０が保持するルーティング情報を用いて行われる。
【００８２】
＜ゲートウェイ装置＞
本発明の実施の形態において、ゲートウェイ装置５０は、通信変換手段５０１等を有する。
【００８３】
通信変換手段５０１は、無線ネットワーク９７に属する表示端末１０及び通信端末３０から受信したデータを、異なるネットワークであるネットワーク９８に適合する形式に変換する。変換されたデータは、データの宛先アドレスに基づき、情報管理サーバ２０に送信される。
【００８４】
＜情報管理サーバ＞
本発明の実施の形態において、情報管理サーバ２０は、位置情報通信Ｉ／Ｆ手段２０１、位置情報管理手段２０２、位置情報記憶手段２０３、通信Ｉ／Ｆ手段２０４、属性情報管理手段２０５、属性情報記憶手段２０６、コンテンツ情報記憶手段２０７、優先度記憶手段２０８、コンテンツ選択手段２０９、コンテンツ送信手段２１０、ユーザ履歴管理手段２１１、ユーザ履歴記憶手段２１２及びコンテンツ提示対象決定手段２１３等を有する。
【００８５】
位置情報通信Ｉ／Ｆ手段２０１は、例えばＩＥＥＥ８０２．３規格のイーサネットによりゲートウェイ装置５０とデータの送受信を行う。本発明の実施形態において、ゲートウェイ装置５０から送信された表示端末１０又は通信端末３０からの位置情報更新要求を受け付けると、位置情報管理手段２０２に通知する。なお、位置情報通信Ｉ／Ｆ手段２０１が用いる通信規格はＩＥＥＥ８０２．３に限らず、例えば無線ＬＡＮ（ＩＥＥＥ８０２．１１）を用いてもよい。
【００８６】
位置情報管理手段２０２は、表示端末１０及び通信端末３０の位置情報を、識別情報と対応付けて管理する。位置情報管理手段２０２は、位置情報通信Ｉ／Ｆ手段２０１を介して受け付けた位置情報更新要求に基づき、位置情報記憶手段２０３に識別情報と位置情報とを記憶させる。
【００８７】
位置情報記憶手段２０３は、位置情報を識別情報と対応付けて記憶する。図１１は本発明の実施の形態における位置情報記憶手段２０３に記憶される情報の一例を示す図である。図１１に示されるように、位置情報記憶手段２０３は、識別情報、緯度、経度、階数、棟、受信日時、端末種別等が記憶される。識別情報は、表示端末１０及び通信端末３０を一意に識別する識別情報であり、例えばＭＡＣアドレスである。緯度、経度、階数、棟は、表示端末１０又は通信端末３０から送信された位置情報に含まれる情報である。受信日時は、位置情報管理手段２０２が、識別情報及び位置情報を受信した日時である。端末種別は、位置情報及び識別情報を送信した端末が、表示端末１０であるか、または通信端末３０であるかを示す情報である。端末種別は、予め表示端末１０及び通信端末３０の識別情報と関連付けられ、情報管理サーバ２０又は外部のサーバ等に記憶されている。
【００８８】
通信Ｉ／Ｆ手段２０４は、例えばＩＥＥＥ８０２．１１規格に基づき、無線ＬＡＮにより表示端末１０及び通信端末３０とデータ通信を行う。本発明の実施形態において、通信Ｉ／Ｆ手段２０４は、通信端末３０からユーザ属性情報を受信し、表示端末１０にコンテンツを送信する。なお、通信Ｉ／Ｆ手段２０４が用いる通信規格は、ＩＥＥＥ８０２．１１に限らず例えばＩＥＥＥ８０２．３規格のイーサネットであってもよい。
【００８９】
属性情報管理手段２０５は、通信端末３０から送信された通信端末３０のユーザ属性情報及び識別情報（例えばＭＡＣアドレス）が含まれた属性情報通知信号を通信Ｉ／Ｆ手段２０４を介して受信する。そして、属性情報管理手段２０５は、属性情報記憶手段２０６にユーザ属性情報と識別情報とを対応付けて記憶する。
【００９０】
属性情報記憶手段２０６は、通信端末３０のユーザ属性情報と識別情報とを対応付けて記憶する。図１２は本発明の実施の形態における属性情報記憶手段２０６に記憶される情報の一例を示す図である。図１２に示されるように、属性情報記憶手段２０６は、識別情報、氏名及びユーザ属性情報を記憶する。ユーザ属性情報は、本発明の実施形態では、例えば、生年月日、性別、出身地、居住地、家族構成、職業及び趣味等である。
【００９１】
コンテンツ情報記憶手段２０７は、ユーザ属性情報毎に表示端末１０に送信するコンテンツを記憶する。図１３は本発明の実施の形態におけるコンテンツ情報記憶手段２０７に記憶される情報の一例を示す図である。図１３に示されるようにコンテンツ情報記憶手段２０７には、予めユーザ属性情報の種類である、例えば出生年代（生年月日）、出身地、性別等毎に適したコンテンツが記憶されている。コンテンツの形式は、動画・静止画や圧縮形式等はいずれの形式でもよい。なお、コンテンツのファイルの本体は、情報管理サーバ２０ではなく、外部記録媒体や他の装置に記憶されていてもよい。その場合、コンテンツ情報記憶手段２０７は、コンテンツのファイル本体が格納されているアドレスと各ユーザ属性情報とを対応付けて記憶する。
【００９２】
優先度記憶手段２０８は、表示端末１０に送信するコンテンツを選択するために用いるユーザ属性情報の種類の優先度を記憶する。図１４は本発明の実施の形態における優先度記憶手段２０８に記憶される情報の一例を示す図である。図１４に示されるように、優先度記憶手段２０８は、コンテンツを選択するために優先的に参照するユーザ属性情報の種類を示す優先度と、ユーザ属性情報の種類とを対応付けて記憶する。図１４の例では、優先度が最も高いユーザ属性情報の種類が「出身地」であり、次いで優先度が高いのが「趣味」となっている。優先度記憶手段２０８に記憶される情報は、予めコンテンツ管理システム１の管理者等により入力される情報であり、随時更新が可能である。
【００９３】
コンテンツ選択手段２０９は、後述するコンテンツ提示対象決定手段２１３によって特定された通信端末３０のユーザのユーザ属性情報に基づき、表示端末１０に送信するコンテンツを選択する。コンテンツを選択する具体的な処理手順は、図１６及び図１７を用いて後述する。コンテンツ選択手段２０９は、送信するコンテンツを選択すると、選択したコンテンツの格納先アドレスを、コンテンツ送信手段２１０に通知する。
【００９４】
コンテンツ送信手段２１０は、後述するコンテンツ提示対象決定手段２１３から、コンテンツを表示する表示端末１０の識別情報の通知を受けとり、コンテンツ選択手段２０９から表示するコンテンツの格納先アドレスの通知を受け取る。そして、該当するコンテンツを、通信Ｉ／Ｆ手段２０４を介してその表示端末１０に送信する。なお、コンテンツの送信は、情報管理サーバ２０ではなく、例えばコンテンツ配信用装置等により送信をしてもよい。その場合、情報管理サーバ２０において、コンテンツのファイル本体を記憶する必要は無くなり、コンテンツ配信用装置に、選択したコンテンツを通知すればよい。
【００９５】
ユーザ履歴管理手段２１１は、一定時間おきに、各領域に属する通信端末３０の識別情報を取得し、ユーザ履歴記憶手段２１２に格納する。領域に属する通信端末３０の識別情報は、図１１に例示した位置情報記憶手段２０３から取得することができる。ユーザ履歴管理手段２１１は、既知の領域（位置情報通信機器４０）を特定する位置情報と同一の位置情報を有する通信端末３０を、その領域に属する通信端末３０と特定する。既知の領域を特定する、位置情報通信機器４０の位置情報は、予め情報管理サーバ２０に格納されていてもよい。何れの領域を対象として、通信端末３０の識別情報を取得するか（全ての領域、あるいは任意の一部の領域）は、管理者が、予め定めることができる。
【００９６】
ユーザ履歴記憶手段２１２に格納される情報の例を、図１５に示す。ユーザ履歴記憶手段２１２は、各領域に属する通信端末３０の識別情報のリストを、一定の時間おきに記憶する。図１５に示されるように、ユーザ履歴記憶手段２１２は、領域ごとに、番号と、日時と、その日時に領域に属していた通信端末３０（ユーザ）の識別情報とを対応付けて記憶する。図１５の例では、１０分おきに、ある領域に属していた通信端末３０の識別情報のリストを格納している。図１５では、６０分前までの履歴を格納しているが、何分前までの履歴を格納するかは、管理者が適宜決定することができる。また、何分おきに履歴を格納するかは、管理者が適宜決定することができる。
【００９７】
コンテンツ提示対象決定手段２１３は、コンテンツの提示対象となる通信端末３０と、コンテンツを表示する表示端末１０とを決定する。コンテンツの提示対象となる通信端末３０とは、所定数以上の通信端末が属する領域に含まれる、通信端末である。コンテンツを表示する表示端末１０は、特定された通信端末３０のユーザ向けのコンテンツを表示する表示端末１０である。以下に，コンテンツの提示対象となる通信端末３０と、コンテンツを表示する表示端末１０とを決定する手順について、図９を用いて説明する。
【００９８】
図９（ａ）は、等間隔に設置された位置情報通信機器４０（×マークで表す）と、その位置情報通信機器４０が送信する位置情報の範囲（破線の円で表す）（この範囲を「領域」と呼ぶ）に属する通信端末３０（黒丸で表す）の位置関係を表す。また、図９には、北の方角とのずれで表現される所定の向き（矢印で表す）に配置され、所定の視野角（θｖで表す）を有する、表示端末１０ａ、１０ｂ、１０ｃ（長方形で表す）が示されている。表示端末の向きと視野角は、予め、表示装置の識別情報と関連付けられて、位置情報記憶手段２０３に記憶され得る（図１１）。
【００９９】
コンテンツ提示対象決定手段２１３は、位置情報記憶手段２０３に格納された、各通信端末の位置情報を参照し、位置情報通信機器４０によって特定される領域に含まれる、通信端末３０を特定する。図９（ａ）の例では、位置情報通信機器４０ａの送信する位置情報を受信している、領域ａに属する５つの通信端末３０ａ−３０ｅが特定される。同様に、他の領域に属する通信端末が、それぞれ特定される。
【０１００】
次に、コンテンツ提示対象決定手段２１３は、特定された通信端末の数が、所定数以上となる領域を特定する。例えば、所定数が「５」であるとすると、図９（ａ）に例示した領域ａには、５つの通信端末が属するため、当該条件を満たす。また、図９（ａ）に例示された領域ｂにも、５つの通信端末３０ｆ−３０ｊが属するため、当該条件を満たす。従って、ここでは、２つの領域ａ、ｂが特定されることとなる。
【０１０１】
次に、コンテンツ提示対象決定手段２１３は、位置情報記憶手段２０３に格納される、表示端末１０（図１１において「端末種別」が「表示端末」である装置）の位置情報を参照し、特定した各領域の近傍にある所定数の表示端末１０を特定する。ここで、例えば、所定数が「３」であるとすると、図９（ａ）の例では、近い順に、表示端末１０ａ、１０ｂ（１０ａと同じ距離）、１０ｃ（１０ａ、１０ｂより遠い）が特定される。なお、領域と表示端末１０との距離は、例えば、領域の中心に位置する位置情報通信機器４０の緯度及び経度と、各表示端末１０の緯度及び経度とを用いて、算出することができる。経緯座標から距離を求める方法は任意である。
【０１０２】
次に、コンテンツ提示対象決定手段２１３は、特定された表示端末１０の視野角内に、特定された領域が含まれるか否かを判定する。コンテンツ提示対象決定手段２１３は、当該判定のために、位置情報記憶手段２０３に格納された表示端末１０の経緯座標、向き及び視野角の情報、並びに、領域の中心の位置情報通信機器４０の経緯座標を用いる。ここで、向き及び視野角は、「度」で表されているものとする。特に、向きは、北の方角からの差異を、反時計回りに０度〜３５９度で表すものとする（向きの表現は任意である）。当該判定方法の例について、図９（ｂ）を用いて詳細に説明する。
【０１０３】
図９（ｂ）は、上記の判定を説明するための図である。図９（ｂ）に含まれる要素は，図９（ａ）に示した要素と同様である。ここでは、特定された表示端末１０ａの視野角内に、領域ａが含まれるか否か判定する例について説明する。当該判定のために、例えば、表示端末１０ａの位置を原点とし、北の方角をｙ軸、東の方角をｘ軸とする。次に、原点から、表示端末１０ａの向きθｄ±θｖ／２の角度に引かれる、視野角の境界を表す二本の直線を引く。図９（ｂ）の例では、θｄ＝１８０［度］である場合の例が描かれている。そして、原点から領域ａの中心位置に引かれる直線の傾き（ｘ１−ｘ０、ｙ１−ｙ０）が、上記の視野角の境界を表す二本の直線の傾き（ｔａｎ（θｄ±θｖ／２））の間にある場合に、特定された領域が視野角内に含まれると判定することができる。
【０１０４】
上の例では、全ての装置が平面状に配置され、かつ、緯度と経度の差が、同一の距離の差となる前提で計算を行っているが、この方法は一例であり、より複雑な計算を用いて、厳密に判定を行ってもよい。また、位置情報を含む測位信号の送信出力によって決定される、領域ａの半径を用い、領域ａを表す円が、視野角の境界線内に含まれる場合に、領域が視野角に含まれると判定してもよい。このためには、原点から領域ａを表す円に引くことのできる二つの接線の傾きが、視野角の境界を表す二つの直線の傾きの範囲内に含まれるかどうかを判定すればよい。
【０１０５】
このようにして、コンテンツ提示対象決定手段２１３は、特定された表示端末１０の視野角内に、特定された領域が含まれるか否かを判定する。図９（ａ）の例では、領域ａは、表示端末１０ａの視野角内に含まれ、表示端末１０ｂ、１０ｃの視野角内に含まれないと判定される。同様に、領域ｂも、表示端末１０ｃの視野角内に含まれると判定される。そこで、コンテンツ提示対象決定手段２１３は、コンテンツの提示対象となる通信端末３０と、コンテンツを表示する表示端末１０とを、以下のように決定する。
【０１０６】
コンテンツの提示対象となる通信端末３０：３０ａ−３０ｅ
コンテンツを表示する表示端末１０      ：表示端末１０ａ
及び、
コンテンツの提示対象となる通信端末３０：３０ｆ−３０ｊ
コンテンツを表示する表示端末１０      ：表示端末１０ｃ
そして、コンテンツ提示対象決定手段２１３は、決定した通信端末の識別情報を、コンテンツ選択手段２０９に渡し、決定した表示端末の識別情報を、コンテンツ送信手段２１０に渡す。
【０１０７】
[動作手順]
本発明の実施の形態におけるコンテンツ管理システム１の動作手順を説明する。
【０１０８】
図１６は、本発明の実施の形態においてコンテンツ管理システム１の動作手順を示すシーケンス図の一例である。
【０１０９】
Ｓ１０１：通信端末３０のユーザは、通信端末３０の表示部３２７に表示されるユーザ属性情報入力画面等を用いて、入力部３２８を介しユーザ属性情報を入力し、入力後、送信ボタンのソフトキーを押下する。
【０１１０】
Ｓ１０２：通信端末３０の属性情報通知手段３０６は、入力されたユーザ属性情報と、記憶手段３０３に記憶されている通信端末３０の識別情報（例えばＭＡＣアドレス）とを、通信Ｉ／Ｆ手段３０７を介して情報管理サーバ２０に送信する。
【０１１１】
Ｓ１０３：情報管理サーバ２０の属性情報管理手段２０５が、通信Ｉ／Ｆ手段２０４により受信されたユーザ属性情報と識別情報とを受け付けると、属性情報記憶手段２０６に識別情報に対応付けたユーザ属性情報を記憶する（図１２参照）。
【０１１２】
上述したステップＳ１０１〜Ｓ１０３の手順は、コンテンツが選択される事前に実施されていればよく、後述するステップとの順序は問わない。なお、本発明の実施形態では、通信端末３０をユーザが操作することによりユーザ属性情報を情報管理サーバ２０に送信したが、情報管理サーバ２０がユーザ属性情報を取得する方法はこれに限らない。例えば、情報管理サーバ２０において外部記録媒体や他の機器に記憶されているユーザ属性情報を用いて属性情報記憶手段２０６に記憶してもよいし、情報管理サーバ２０のユーザによって手動で入力されてもよい。
【０１１３】
Ｓ１０４：位置情報通信機器４０の位置情報通知手段４０２は、位置情報格納手段４０１から取得した位置情報を、位置情報通信Ｉ／Ｆ手段４０３を介しＩＭＥＳ等により連続的又は断続的に送信する。
【０１１４】
Ｓ１０５：通信端末３０の位置情報受付・更新手段１０２は、周期的（例えば１分周期）に行われる位置情報の受信処理により、位置情報通信機器４０から送信される位置情報を位置情報通信Ｉ／Ｆ手段１０１を介して受信する。なお、通信端末３０が加速度センサを備えている場合は、加速度の変化の検知を契機に位置情報を受信してもよい。また、情報管理サーバ２０が位置情報通信機器４０に対して、周期的（例えば６０分毎）に位置情報通知を送信するように要求をしてもよい。
【０１１５】
Ｓ１０６：位置情報受付・更新手段１０２は、受信した位置情報を、記憶手段１０３に記憶する。
【０１１６】
Ｓ１０７：位置情報受付・更新手段１０２は、記憶手段１０３に記憶された通信端末３０の識別情報と受信した位置情報とを、位置情報通信Ｉ／Ｆ手段１０１を介し情報管理サーバ２０の宛先アドレスに送信する。
【０１１７】
Ｓ１０８：位置情報通信機器４０の位置情報通信Ｉ／Ｆ手段４０３は、宛先アドレスと、自機が保有するルーティングテーブルに基づき、ゲートウェイ装置５０に転送する。
【０１１８】
Ｓ１０９：ゲートウェイ装置５０の通信変換手段５０１は、位置情報通信機器４０から転送された無線ネットワーク９７の通信方式（プロトコル）のデータを、ネットワーク９８に適合する形式に変換する。通信変換手段５０１は、変換したデータを、情報管理サーバ２０に送信する。
【０１１９】
Ｓ１１０：情報管理サーバ２０の位置情報管理手段２０２は、位置情報通信Ｉ／Ｆ手段２０１を介して受信した通信端末３０の位置情報と識別情報とを対応付けて位置情報記憶手段２０３に記憶する（図１１参照）。
【０１２０】
上述したステップＳ１０４〜Ｓ１１０の手順により、情報管理サーバ２０は、通信端末３０の位置情報を取得する。ステップＳ１０４〜Ｓ１１０の手順は、表示端末１０においても同様に実行され、情報管理サーバ２０は表示端末１０の位置情報を取得することができる。なお、表示端末１０が、可搬性が低く、場所に固定的に設置されている場合等は、予め表示端末１０の位置情報を位置情報記憶手段２０３に記憶させてもよい。これにより、表示端末１０において位置情報通信Ｉ／Ｆ手段１０１が不要となる。
【０１２１】
Ｓ１１１：情報管理サーバ２０のユーザ履歴管理手段２１１は、位置情報記憶手段２０３に格納された通信端末３０の位置情報を用いて、領域ごとに、その領域に属する通信端末３０の識別情報を取得し、ユーザ履歴記憶手段２１２に格納する（図１５参照）。このとき、格納した時刻を、日時の項目に格納する。
【０１２２】
Ｓ１１２：情報管理サーバ２０は、上述したＳ１０４−Ｓ１０８と同様に、位置情報をさらに受信する。
【０１２３】
Ｓ１１３：情報管理サーバ２０のユーザ履歴管理手段２１１は、ステップＳ１１１と同様に、所定のタイミングで、各領域に属する通信端末３０の識別情報を、ユーザ履歴記憶手段２１２に格納する。
【０１２４】
Ｓ１１４：情報管理サーバ２０のコンテンツ提示対象決定手段２１３は、位置情報記憶手段２０３に格納された、各通信端末の位置情報を参照し、所定数以上の通信端末３０が含まれる領域を特定する。
【０１２５】
Ｓ１１５：情報管理サーバ２０のコンテンツ提示対象決定手段２１３は、ステップＳ１１４で特定した領域の近くの表示端末１０を特定する。
【０１２６】
Ｓ１１６：情報管理サーバ２０のコンテンツ提示対象決定手段２１３は、ステップＳ１１５で特定した表示端末のうち、ステップＳ１１４で特定した領域が視野角に含まれる表示端末を特定する。
【０１２７】
Ｓ１１７：コンテンツ選択手段２０９は、属性情報記憶手段２０６に記憶されている識別情報の中から、ステップＳ１１４で特定された領域に含まれる通信端末３０の識別情報に対応するユーザ属性情報を検索する。このとき検索対象となるユーザ属性情報の種類は、優先度記憶手段２０８に記憶されている優先度の最も高いユーザ属性情報の種類である。
【０１２８】
Ｓ１１８：コンテンツ選択手段２０９は、優先度の高いユーザ属性情報の種類のうち、最も多いユーザ属性情報に対応するコンテンツをコンテンツ情報記憶手段２０７から選択する。
【０１２９】
Ｓ１１９：コンテンツ送信手段２１０は、コンテンツ選択手段２０９によって選択されたコンテンツを、ステップＳ１１６で特定された表示端末１０に、通信Ｉ／Ｆ手段２０４を介して送信する。
【０１３０】
Ｓ１２０：表示端末１０のコンテンツ受信手段１０５が通信Ｉ／Ｆ手段１０４を介してコンテンツを受信すると、受信したコンテンツを記憶手段１０３に記憶し、コンテンツ表示手段１０６にコンテンツが記憶されている場所（アドレス）を通知する。コンテンツ表示手段１０６は、通知されたアドレスに基づきコンテンツを表示する。
【０１３１】
上述したステップＳ１１４〜Ｓ１２０の手順は、予め定めた一定の時間（例えば3分間）の経過後や情報管理サーバ２０が通信端末３０からの位置情報の受信を契機に繰り返される。
【０１３２】
[フローチャート]
図１７は、本発明の実施の形態における情報管理サーバ２０が、コンテンツの提示対象となる通信装置及び表示端末を決定し、提示するコンテンツそのものを選択する処理の一例を示したフローチャート図である。以下で示される処理は、一定時間おきに、繰り返し実行され得る。
【０１３３】
Ｓ２０１：位置情報記憶手段２０３に格納された、各通信端末の位置情報を参照し、所定数以上の通信端末３０が含まれる領域を特定する。
【０１３４】
Ｓ２０２：ステップＳ２０１で領域が特定できた場合には、ステップＳ２０３に進む。そうでない場合には、当該処理を終了する。
【０１３５】
Ｓ２０３：ステップＳ２０１で特定した領域の近くの表示端末１０を特定する。特定される表示端末１０の数は任意である。
【０１３６】
Ｓ２０４：ステップＳ２０３で一以上の表示端末が特定できた場合には、ステップＳ２０４に進む。そうでない場合には、当該処理を終了する。
【０１３７】
Ｓ２０５：ステップＳ２０３で特定した表示端末１０のうち、ステップＳ２０１で特定した領域が視野角に含まれる表示端末を特定する。表示端末の特定するために、例えば、上述した、表示端末１０の経緯座標、向き及び視野角の情報、並びに、領域の中心の位置情報通信機器４０の経緯座標を用いる方法を用いることができる。
【０１３８】
Ｓ２０６：ステップＳ２０５で表示端末が特定できた場合には、ステップＳ２０７に進む。そうでない場合には、当該処理を終了する。なお、二以上の表示端末が特定された場合には、当該領域に最も近い表示端末を特定してもよい。
【０１３９】
Ｓ２０７：属性情報記憶手段２０６に記憶される情報の中から、ステップＳ２０１で特定した領域に含まれる通信端末の識別情報に対応するユーザ属性情報を抽出する。
【０１４０】
Ｓ２０８：優先度記憶手段２０８に記憶される最も優先度の高いユーザ属性情報の種類（例えば、性別、出身地、趣味等のカテゴリー）のうち、最も多いユーザ属性情報を抽出する。例えば、最も優先度の高いユーザ属性情報の種類が「性別」である場合、ユーザ属性情報である「男性」が「女性」より多い場合は、ユーザ属性情報として「男性」を抽出する。
【０１４１】
Ｓ２０９：抽出した最も多いユーザ属性情報に対応するコンテンツを、コンテンツ情報記憶手段２０７に記憶される情報の中から選択する。
【０１４２】
Ｓ２１０：コンテンツ送信手段２１０は、選択したコンテンツを、ステップＳ２０３で特定した表示端末１０に送信する。
【０１４３】
Ｓ２１１：コンテンツの送信後、所定の時間（例えば３分間）が経過しているか否かが判定される。所定の時間が経過すると、本処理は終了する。所定の時間が経過していない（ＮＯ）場合、所定の時間が経過するまで以降の処理に移らず待機する。
【０１４４】
以上、本発明の実施の形態においてコンテンツ管理システム１は、デジタルサイネージを視認可能な位置にいるユーザに対して、そのユーザの属性情報に基づき選択されたコンテンツを提示することができ、効果的なコンテンツ（広告）提供を可能とする。
【０１４５】
[変形例]
以下で、本発明の一実施形態におけるコンテンツ管理システム１の動作の変形例を説明する。コンテンツ管理システム１は、図１６を用いて説明した動作シーケンスに代えて、図１８に示す動作を行うことができる。ここで、図１８に示されるステップのうち、ステップＳ３１４を除くステップは、図１６に示されるステップと同様である。
【０１４６】
図１８のステップＳ３１４では、情報管理サーバ２０のコンテンツ提示対象決定手段２１３は、ユーザ履歴記憶手段２１２に記憶された、各領域のユーザ履歴を参照する。そして、コンテンツ提示対象決定手段２１３は、所定の時間内、その領域に留まっている通信端末（ユーザ）の数が、所定数以上である、領域を特定する。例えば、図１５に例示されるユーザ履歴において、所定の時間が３０分と設定されている場合、以下の識別情報を有する通信端末が、その領域に継続して留まっていたことがわかる。
−002673abcd02
−002673abcd03
従って、この場合、所定数が「２」であれば、コンテンツ提示対象決定手段２１３は、当該領域を特定する。コンテンツ提示対象決定手段２１３は、同様の処理を繰り返して、条件に適合する領域を全て特定する。以降の表示端末を特定するステップは、図１６で説明した手順と同様である。
【０１４７】
対応するフローチャートを図１９に示す。ここでは、図１９のステップＳ４０１を除いて、図１７に示したステップと同様の処理を行う。ステップＳ４０１では、上述したように、所定数以上の通信端末が所定時間以上留まっている領域が特定される。
【０１４８】
当該処理によって、本発明の一実施形態におけるコンテンツ管理システム１は、一時的に通過したユーザではなく、そこに留まっているユーザを対象とし、そのユーザが視認可能なデジタルサイネージに対して、嗜好に合ったコンテンツを提示することができる。
【０１４９】
以上、本発明の実施例について詳述したが、本発明はかかる特定の実施形態に限定されるものではなく、特許請求の範囲に記載された本発明の要旨の範囲内において、種々の変形、変更が可能である。
【符号の説明】
【０１５０】
１        コンテンツ管理システム
１０      表示端末
２０      情報管理サーバ
３０      通信端末
４０      位置情報通信機器
５０      ゲートウェイ装置
１０５    コンテンツ受信手段
１０６    コンテンツ表示手段
２０２    位置情報管理手段
２０３    位置情報記憶手段
２０６    属性情報記憶手段
２０７    コンテンツ情報記憶手段
２０８    優先度記憶手段
２０９    コンテンツ選択手段
２１０    コンテンツ送信手段
２１１    ユーザ履歴管理手段
２１２    ユーザ履歴記憶手段
２１３    コンテンツ提示対象決定手段
【先行技術文献】
【特許文献】
【０１５１】
【特許文献１】特開２０１２−０９８５９８
【図１】
2014134929.tif 000003
【図２】
2014134929.tif 000004
【図３】
2014134929.tif 000005
【図４】
2014134929.tif 000006
【図５】
2014134929.tif 000007
【図６】
2014134929.tif 000008
【図７】
2014134929.tif 000009
【図８】
2014134929.tif 000010
【図９】
2014134929.tif 000011
【図１０】
2014134929.tif 000012
【図１１】
2014134929.tif 000013
【図１２】
2014134929.tif 000014
【図１３】
2014134929.tif 000015
【図１４】
2014134929.tif 000016
【図１５】
2014134929.tif 000017
【図１６】
2014134929.tif 000018
【図１７】
2014134929.tif 000019
【図１８】
2014134929.tif 000020
【図１９】
2014134929.tif 000021